(57)【要約】 【課題】  本発明はリールの内側部に効果的にバックライトの光を反射させて外方に透光できるように構成することにより、リールの図柄表示部を全体幅で効果的に光らせることができ、遊戯者の興趣を減殺させない遊技機用リールユニットおよび遊技機用リールユニットのバックライト反射機構を得るにある。【解決手段】  遊技機内に取付けられる支持体と、この支持体に取付けられたモータと、このモータの回転軸に固定された、外周に透光性の図柄表示部を有するリールと、このリール内に配され、前記支持体に取付けられたバックライトと、前記リールのモータ取付け部側に配され、内方に突出して一体あるいは固定して設けられた、前記バックライトの光を前記リールのモータ取付け部側の内側部に反射させることができる第１の反射体と、この第１の反射体の前方に配された、前記バックライトの光を前方に反射させることができる第２の反射体とで遊技機用リールユニットを構成している。  【選択図】  図１
2005046296.tif 000002
【特許請求の範囲】
【請求項１】
遊技機内に取付けられる支持体と、この支持体に取付けられたモータと、このモータの回転軸に固定された、外周に透光性の図柄表示部を有するリールと、このリール内に配され、前記支持体に取付けられたバックライトと、前記リールのモータ取付け部側に配され、内方に突出して一体あるいは固定して設けられた、前記バックライトの光を前記リールのモータ取付け部側の内側部に反射させることができる第１の反射体と、この第１の反射体の前方に配された、前記バックライトの光を前方に反射させることができる第２の反射体とからなることを特徴とする遊技機用リールユニット。
【請求項２】
遊技機内に取付けられる板状の支持体と、この支持体に取付けられたモータと、このモータの回転軸に固定された、外周に透光性の図柄表示部を有するリールと、このリール内に配され、前記支持体に取付けられたバックライトと、前記リールのモータ取付部側に配され、内方に突出して一体あるいは固定して設けられた、前記バックライトの光を前記リールのモータ取付け部側の内側部に反射させることができる傾斜した反射面を形成した第１の反射体と、この第１の反射体の前方に配され、前記支持体に取付けられた、前記バックライトの光を前方に反射させることができる第２の反射体とからなることを特徴とする遊技機用リールユニット。
【請求項３】
遊技機内に取付けられる支持体と、この支持体に取付けられたモータと、このモータの回転軸に固定された、外周に透光性の図柄表示部を有するリールと、このリール内に配され、前記支持体に取付けられたバックライトと、前記リールのモータ取付け部側に配され、内方に突出して一体あるいは固定して設けられた、前記バックライトの光を前記リールのモータ取付け部側の内側部に反射させることができる反射体とからなることを特徴とする遊技機用リールユニット。
【請求項４】
リールのモータ取付け部側に配され、内方に突出して一体あるいは固定して設けられた、前記リール内に配されたバックライトの光を該リールのモータ取付け部側の内側部に反射させることができる第１の反射体と、この第１の反射体の前方に配された、前記バックライトの光を前方に反射させることができる第２の反射体とからなることを特徴とする遊技機用リールユニットのバックライト反射機構。
【発明の詳細な説明】
【技術分野】
【０００１】
本発明は遊技盤で遊技を行うパチンコ機やスロットマシン等の遊技機に用いられる遊技機用リールユニットおよび遊技機用リールユニットのバックライト反射機構に関する。
【背景技術】
【０００２】
従来、遊技機用リールユニットは、図１７および図１８に示すように、遊技機内に取付けられる支持体Ａと、この支持体Ａに取付けられたモータＢと、このモータＢの回転軸Ｃに固定された、外周に図柄表示部を有する透光性のリールＤと、このリールＤの内部に配設されたバックライトＥと、前記支持体Ａに固定された、前記バックライトＥの光を前方に反射させることができる反射体Ｆとで構成されている。
【０００３】
しかしながら、従来の遊技機用リールユニットは、図１８に示すように、バックライトの光を前方に反射できるものの、該リールのモータ取付け部側の内側部に効果的に反射させることができないという欠点があった。このため、図中におけるＸの範囲でしか発光されないため、図柄表示部の一側部が暗く現れ、遊技の興趣が減殺されてしまうという欠点があった。
【発明の開示】
【発明が解決しようとする課題】
【０００４】
本発明は以上のような従来の欠点に鑑み、リールのモータ取付け部側の内側部に効果的にバックライトの光を反射させて外方に透光できるように構成することにより、リールの図柄表示部を全体幅で効果的に光らせることができ、遊戯者の興趣を減殺させない遊技機用リールユニットおよび遊技機用リールユニットのバックライト反射機構を提供することを目的とする。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は遊技機内に取付けられる支持体と、この支持体に取付けられたモータと、このモータの回転軸に固定された、外周に透光性の図柄表示部を有するリールと、このリール内に配され、前記支持体に取付けられたバックライトと、前記リールのモータ取付け部側に配され、内方に突出して一体あるいは固定して設けられた、前記バックライトの光を前記リールのモータ取付け部側の内側部に反射させることができる第１の反射体と、この第１の反射体の前方に配された、前記バックライトの光を前方に反射させることができる第２の反射体とで遊技機用リールユニットを構成している。
【０００７】
また、本発明は、リールのモータ取付け部側に配され、内方に突出して一体あるいは固定して設けられた、前記リール内に配されたバックライトの光を該リールのモータ取付け部側の内側部に反射させることができる第１の反射体と、この第１の反射体の前方に配された、前記バックライトの光を前方に反射させることができる第２の反射体とで遊技機用リールユニットのバックライト反射機構を構成している。
【発明の効果】
【０００８】
以下の説明から明らかなように、本発明にあっては次に列挙する効果が得られる。
【０００９】
（１）遊技機内に取付けられる支持体と、この支持体に取付けられたモータと、このモータの回転軸に固定された、外周に透光性の図柄表示部を有するリールと、このリール内に配され、前記支持体に取付けられたバックライトと、前記リールのモータ取付け部側に配され、内方に突出して一体あるいは固定して設けられた、前記バックライトの光を前記リールのモータ取付け部側の内側部に反射させることができる第１の反射体と、この第１の反射体の前方に配された、前記バックライトの光を前方に反射させることができる第２の反射体とで構成されるので、リールの図柄表示部が全体幅で光るようにバックライトを反射させることができる。
したがって、従来生じていた、図柄の一側部が暗くなるという不具合を確実に回避することができる。
【００１０】
（２）前記（１）によって、リールの内側部に第１の反射体を用いるように構成しているため、特に他の部品等の構造を複雑に設計変更しなくても実施することができる。
【００１１】
（３）前記（１）によって、従来のリールユニットを用いた遊技機に設置して用いることができるため、多様な遊技機等で実施することができる。
【００１２】
（４）請求項２、３、４も前記（１）〜（３）と同様な効果が得られる。
【発明を実施するための最良の形態】
【００１３】
以下、図面に示す実施するための最良の形態により、本発明を詳細に説明する。
【００１４】
図１ないし図１０に示す本発明を実施するための最良の第１の形態において、１は、リールの外側部にバックライトの光を効果的に透光させ、図柄表示部を効果的に光らせることができる本発明の遊技機用リールユニットで、この遊技機用リールユニット１は、遊技機内に取付けられる支持体２と、この支持体２に取付けられたモータ３と、このモータ３の回転軸４に固定された、外周に透光性の図柄表示部５を有するリール６と、このリール６内に配され、前記支持体２に取付けられたバックライト７と、前記リール６のモータ取付け部側に配され、内方に突出して一体あるいは固定して設けられた、前記バックライト７の光を前記リール６のモータ取付け部側の内側部に反射させることができる第１の反射体８と、この第１の反射体８の前方に配された、前記バックライト７の光を前方に反射させることができる第２の反射体９とで構成されている。
【００１５】
前記支持体２は、金属板で形成され、遊技機の内部に設けられた取付け部１０にネジ１１等で取付けられる。
【００１６】
前記モータ３は、従来から用いられている、例えば、ステッピングモータ等で構成されている。
【００１７】
前記リール６は、図５に示すように、筒状のリール本体１２と、モータ３の回転軸４に挿嵌され、ネジ１３で固定されるモータ取付け部１４と、このモータ取付け部１４の外周部に一定成形された複数の脚部材１５と、この複数の脚部材１５に一体成形された、前記リール本体１２の内側部に接着剤等で固定されたリング状の取付け部１６と、前記リール本体１２の表面に接着剤等で固定された図柄表示部５となる透光性のフィルム材で形成されたリール帯１７とで構成されている。
また、リール６を構成する各構成物のうち、リール本体１２、モータ取付け部１４、複数の脚部材１５およびリング状の取付け部１６は、透光性のプラスチック材で形成されている。なお、本形態では、リール６を構成する部材を全て透光性の材質で形成したものについて説明したが、本発明はこれに限らず、少なくとも図柄表示部５が透光する構成であればよい。
【００１８】
前記バックライト７は、支持体２に取付けられた基盤１８に固定され、従来と同様に、前記リール６の内部において発光するように構成されている。
【００１９】
前記第１の反射体８は、図６ないし図８に示すように、プラスチック材で形成され、表面に反射剤１９が塗装等された、傾斜した反射面２０を有する略傘状の反射体本体２１と、この反射体本体２１の外周部に複数形成された、前記リール６の脚部材１５の根元部寄りの部位に取付けられる切欠部２２と、前記反射体本体２１の軸心部側に形成されたモータ取付け部１４が挿入される取付け孔２３とで構成され、この第１の反射体８は、図３および図４に示すように、リール６の内方側より嵌め込んで取付ける。なお、本形態において、第１の反射体８はプラスチック材で形成したものについて説明したが、本発明はこれに限らず、表面が鏡面仕上げされた軽量金属材等を用いて形成してもよい。
【００２０】
前記第２の反射体９は、図３および図４に示すように、プラスチック材で成形され、支持体２の取付け部２４にネジ２５等で固定された、前記バックライト７を挿通する孔２６が形成された取付け板２７と、この取付け板２７に一体成形された、前記バックライト７の背部に配され、後方にかけて窪む湾曲した反射面２８を形成した反射体本体２９とで構成されている。この第２の反射体９の反射体本体２９先端部の形状は、前記第１の反射体８の傾斜した反射面２０の形状に沿うように、凹状の略弧状形状で形成されている。
【００２１】
上記構成の遊技機用リールユニット１は、バックライト７の光が、リール９の外方に現れるが、この際、図１０に示すように、該バックライト７が発光すると、第１の反射体８の傾斜した反射面２０によって、前記リール６のリング状の取付け部１６の内側部に光が反射され、該リング状の取付け部１６の肉厚内で光導波路のように作用する。このため、効果的にリール６のモータ取付け部側の一側部を発光させることができる。また、第２の反射体９の湾曲した反射面２７によって、バックライト７の光が集光され、前方に配されたリールの図柄表示部５に向けて反射される。
したがって、このような第１の反射体８および第２の反射体９からなる遊技機用リールユニットのバックライト反射機構３０によって、リール６の図柄表示部５の全体幅（図中のＹの範囲）を効果的に光らせることができる。
【００２２】
次に、図１１ないし図１６に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２３】
図１１および図１２に示す本発明を実施するための第２の形態において、前記本発明を実施するための最良の第１の形態と主に異なる点は、第１の反射体８Ａとリング状の取付け部１６Ａとを一体成形して構成した点で、このように構成されたリング状の取付け部１６Ａを用いたリール６Ａ、および第１の反射体８Ａを用いて構成した遊技機用リールユニット１Ａにしても、前記本発明を実施するための最良の第１の形態と同様の作用効果が得られる。
【００２４】
図１３および図１４に示す本発明を実施するための第３の形態において、前記本発明を実施するための最良の第１の形態と主に異なる点は、リール本体１２の一方の内側部に複数の脚部材１５およびモータ取付け部１４を一体成形したリール６Ｂを用いた点で、このように形成されたリール６Ｂを用いた遊技機用のリールユニット１Ｂにしても前記本発明を実施するための最良の第１の形態と同様の作用効果が得られる。なお、この場合、第１の反射体８で反射されたバックライト７の光は、リール本体１２のモータ取付け部側の内側部に直接あたるように作用する。
【００２５】
図１５および図１６に示す本発明を実施するための第４の形態において、前記本発明を実施するための最良の第１の形態と主に異なる点は、第２の反射体９を用いないで構成した点で、このように構成された遊技機用のリールユニット１Ｃにしてもよい。なお、この場合、モータ３の表面に反射剤１９を塗装等することで効果的に反射させることができる。
【００２６】
なお、本発明を実施するための各形態において、支持体２は金属板で形成したものについて説明したが、本発明はこれに限らず、ボックス状にされたものや、プラスチック材等で形成されたもので構成してもよい。
【００２７】
また、本発明を実施するための各形態において、第１の反射体８は、リール６の内方かから取付けるように構成したものについて説明したが、本発明はこれに限らす、複数の脚部材１５の外方側から取付けて接着剤等で固定するように構成してもよい。
【産業上の利用可能性】
【００２８】
本発明はスロット等に用いられる遊技機用のリールユニットを製造する産業で利用される。
【図面の簡単な説明】
【００２９】
【図１】本発明を実施するための最良の第１の形態の正面図。
【図２】本発明を実施するための最良の第１の形態の側面図。
【図３】本発明を実施するための最良の第１の形態の一部破断正面図。
【図４】本発明を実施するための最良の第１の形態の一部破断平面図。
【図５】本発明を実施するための最良の第１の形態のリールの説明図。
【図６】本発明を実施するための最良の第１の形態の第１の反射体の正面図。
【図７】本発明を実施するための最良の第１の形態の第１の反射体の背面図。
【図８】図６の８−８線に沿う断面図。
【図９】遊技機用リールユニットのバックライト反射機構の説明図。
【図１０】本発明を実施するための最良の第１の形態の使用時の説明図。
【図１１】本発明を実施するための第２の形態の一部破断正面図。
【図１２】本発明を実施するための第２の形態の一部破断平面図。
【図１３】本発明を実施するための第３の形態の一部破断正面図。
【図１４】本発明を実施するための第３の形態の一部破断平面図。
【図１５】本発明を実施するための第４の形態の一部破断正面図。
【図１６】本発明を実施するための第４の形態の使用状態の説明図。
【図１７】従来技術を示した説明図。
【図１８】従来技術の使用時の説明図。
【符号の説明】
【００３０】
１、１Ａ〜１Ｃ：遊技機用リールユニット、
２：支持体、            ３：モータ、
４：回転軸、            ５：図柄表示部、
６、６Ａ、６Ｂ：リール、７：バックライト、
８、８Ａ、８Ｂ：第１の反射体、
９：第２の反射体、      １０：取付け部、
１１：複数個のネジ、    １２：リール本体、
１３：ネジ、            １４：モータ取付け部、
１５：脚部材、          １６、１６Ａ：リング状の取付け部、
１７：リール帯、        １８：基盤、
１９：反射剤、          ２０、２０Ａ：傾斜した反射面、
２１：反射体本体、      ２２：切欠部、
２３：取付け孔、        ２４：取付け部、
２５：ネジ、            ２６：孔、
２７：取付け板、        ２８：湾曲した反射面、
２９：反射体本体、      
３０：遊技機用リールユニットのバックライト反射機構。
【図１】
2005046296.tif 000003
【図２】
2005046296.tif 000004
【図３】
2005046296.tif 000005
【図４】
2005046296.tif 000006
【図５】
2005046296.tif 000007
【図６】
2005046296.tif 000008
【図７】
2005046296.tif 000009
【図８】
2005046296.tif 000010
【図９】
2005046296.tif 000011
【図１０】
2005046296.tif 000012
【図１１】
2005046296.tif 000013
【図１２】
2005046296.tif 000014
【図１３】
2005046296.tif 000015
【図１４】
2005046296.tif 000016
【図１５】
2005046296.tif 000017
【図１６】
2005046296.tif 000018
【図１７】
2005046296.tif 000019
【図１８】
2005046296.tif 000020